(57)【要約】【課題】ＨＤＭＩ受信部等のコンテンツデータ受信手段、及びＨＤＭＩ送信部等のコンテンツデータ送信手段が停止状態にある場合において新たにコンテンツ送信装置が接続された場合でも、この新たなコンテンツ送信装置の物理アドレスを正しく認識する。【解決手段】ＡＶアンプ１０は、入力端子１２，１４と、ディスプレイ６０が接続される出力端子２４と、ＨＤＭＩ受信部１８と、ＨＤＭＩ送信部２８と、ＨＤＭＩ受信部１８及びＨＤＭＩ送信部２８に電源電圧を供給しない完全スタンバイ状態において新たなＤＶＤプレーヤ等が接続されるとＣＥＣメッセージを用いてその存在を検出し、ＨＤＭＩ受信部１８及びＨＤＭＩ送信部２８に電源電圧を供給してその物理アドレスを取得する制御部２０を備える。【選択図】図１
2014042163.tif 000002
【特許請求の範囲】
【請求項１】
コンテンツ送信装置が接続される入力端子と、
コンテンツ受信装置が接続される出力端子と、
前記コンテンツ送信装置から送信されたコンテンツデータを受信する受信手段と、
前記コンテンツデータを前記コンテンツ受信装置に送信する送信手段と、
前記受信手段及び前記送信手段に電源電圧を供給しない第１スタンバイ状態にある場合であって前記入力端子に新たなコンテンツ送信装置が接続されたときに、所定の機器制御信号を用いて新たなコンテンツ送信装置の存在を検出し、前記受信手段及び前記送信手段に電源電圧を供給する第２スタンバイ状態に移行して、前記新たなコンテンツ送信装置の物理アドレスを取得する制御手段と、
を備えることを特徴とするコンテンツ送受信装置。
【請求項２】
請求項１記載のコンテンツ送受信装置において、
前記制御手段は、前記機器制御信号を用いて新たなコンテンツ送信装置の存在を検出すると、新たな論理アドレスに新たなコンテンツ送信装置を割り当て、新たな論理アドレスに対して物理アドレスを問い合わせ、問い合わせに対して新たなコンテンツ送信装置から返信された物理アドレスを取得する
ことを特徴とするコンテンツ送受信装置。
【請求項３】
請求項２記載のコンテンツ送受信装置において、
コンテンツ送信装置の論理アドレスと物理アドレスを対応付けるテーブルを記憶する記憶手段
を備え、前記制御手段は、新たな論理アドレスに、獲得した物理アドレスを対応付けることで前記テーブルを更新する
ことを特徴とするコンテンツ送受信装置。
【請求項４】
請求項１〜３のいずれかに記載のコンテンツ送受信装置において、
前記入力端子はＨＤＭＩ入力端子であり、
前記出力端子はＨＤＭＩ出力端子であり、
前記コンテンツ送信装置はＨＤＭＩケーブルを介して前記入力端子に接続され、
前記コンテンツ受信装置はＨＤＭＩケーブルを介して前記出力端子に接続され、
前記制御手段は、前記機器制御信号としてＣＥＣメッセージを用いて新たなコンテンツ送信装置の存在を検出する
ことを特徴とするコンテンツ送受信装置。
【請求項５】
請求項４記載のコンテンツ送受信装置において、
前記制御手段は、ＣＥＣメッセージを用いて新たなコンテンツ送信装置の存在を検出すると、前記ＨＤＭＩケーブルに含まれるＨＰＤラインのＨＰＤ（ホットプラグディテクト）信号をＬｏレベルからＨｉレベルに変化させる
ことを特徴とするコンテンツ送受信装置。
【発明の詳細な説明】
【技術分野】
【０００１】
本発明は、ＡＶアンプ等のコンテンツ送受信装置に関する。
【背景技術】
【０００２】
ＤＶＤプレーヤあるいはＢＤプレーヤと、ＡＶアンプと、ディスプレイとを備えるコンテンツ送受信システムが知られている。ＤＶＤプレーヤあるいはＢＤプレーヤは、ディスクに記録されているコンテンツデータを再生し、ＨＤＭＩ（High Definition Multimedia Interface）データに変換してＨＤＭＩケーブルを介してＡＶアンプに送信する。ＡＶアンプは、コンテンツデータに含まれる音声データに所定の音声処理を施し、スピーカから音声を出力する。また、ＡＶアンプは、コンテンツデータに含まれる映像データをディスプレイに送信する。ディスプレイは、ＡＶアンプからの映像データに所定の映像処理を施して表示する。
【０００３】
下記の特許文献１には、ＡＶアンプが、ディスプレイがＡＶアンプからＨＤＭＩデータを受信することができるか否かを判定し、ディスプレイがＡＶアンプからＨＤＭＩデータを受信できないと判定した場合に、ＨＤＭＩ受信部及びＨＤＭＩ送信部に電源電圧を供給しない完全スタンバイ状態に移行して消費電力を低減する技術が記載されている。また、ディスプレイがＡＶアンプからＨＤＭＩデータを受信できると判定した場合、ＨＤＭＩ受信部及びＨＤＭＩ送信部に電源電圧を供給するスタンバイスル―状態に移行し、ＨＤＭＩデータをディスプレイにスルーすることが記載されている。
【先行技術文献】
【特許文献】
【０００４】
【特許文献１】特開２０１１−１６６６８１号公報
【発明の概要】
【発明が解決しようとする課題】
【０００５】
ところで、ＡＶアンプが完全スタンバイ状態である場合、ＡＶアンプのＨＤＭＩ受信部及びＨＤＭＩ送信部には電源電圧が供給されていないため停止状態にあり、完全スタンバイ状態において新たにＡＶアンプにソース機器が接続されてもこれを認識することができない。新たに接続されたソース機器を認識できないと、新たに接続されたソース機器の物理アドレスもシステムにおいて正しく更新されないから、たとえソース機器を再生し、このソース機器からＣＥＣメッセージである＜Active Source＞をブロードキャストしても、正しい物理アドレスを有していないためにＡＶアンプやディスプレイはこのソース機器に入力を正しく切り替えることができない問題が生じる。
【０００６】
本発明の目的は、ＨＤＭＩ受信部等のコンテンツデータ受信手段、及びＨＤＭＩ送信部等のコンテンツデータ送信手段が停止状態にある場合において新たにコンテンツ送信装置が接続された場合でも、この新たなコンテンツ送信装置の物理アドレスを正しく認識することができるコンテンツ送受信装置を提供することにある。
【課題を解決するための手段】
【０００７】
本発明のコンテンツ送受信装置は、コンテンツ送信装置が接続される入力端子と、コンテンツ受信装置が接続される出力端子と、前記コンテンツ送信装置から送信されたコンテンツデータを受信する受信手段と、前記コンテンツデータを前記コンテンツ受信装置に送信する送信手段と、前記受信手段及び前記送信手段に電源電圧を供給しない第１スタンバイ状態にある場合であって前記入力端子に新たなコンテンツ送信装置が接続されたときに、所定の機器制御信号を用いて新たなコンテンツ送信装置の存在を検出し、前記受信手段及び前記送信手段に電源電圧を供給する第２スタンバイ状態に移行して、前記新たなコンテンツ送信装置の物理アドレスを取得する制御手段を備えることを特徴とする。
【０００８】
本発明において、受信手段及び送信手段に電源電圧を供給しない第１スタンバイ状態にあって動作停止状態にあるときでも、制御手段は、所定の機器制御信号を用いて新たなコンテンツ送信装置の制御手段とデータを送受信することで、新たなコンテンツ送信装置の存在を検出する。なお、この時点で受信手段及び送信手段は未だ動作停止状態にあるため、新たなコンテンツ送信装置の物理アドレスは不知である。制御手段は、新たなコンテンツ送信装置の存在を検出すると、受信手段及び送信手段に電源電圧を供給してこれらを動作状態に移行させることで、新たなコンテンツ送信装置の物理アドレスを獲得する。
【０００９】
本発明の１つの実施形態では、前記制御手段は、前記機器制御信号を用いて新たなコンテンツ送信装置の存在を検出すると、新たな論理アドレスに新たなコンテンツ送信装置を割り当て、新たな論理アドレスに対して物理アドレスを問い合わせ、問い合わせに対して新たなコンテンツ送信装置から返信された物理アドレスを取得することを特徴とする。
【００１０】
また、本発明の他の実施形態では、コンテンツ送信装置の論理アドレスと物理アドレスを対応付けるテーブルを記憶する記憶手段を備え、前記制御手段は、新たな論理アドレスに、獲得した物理アドレスを対応付けることで前記テーブルを更新することを特徴とする。
【００１１】
また、本発明の他の実施形態では、前記入力端子はＨＤＭＩ入力端子であり、前記出力端子はＨＤＭＩ出力端子であり、前記コンテンツ送信装置はＨＤＭＩケーブルを介して前記入力端子に接続され、前記コンテンツ受信装置はＨＤＭＩケーブルを介して前記出力端子に接続され、前記制御手段は、前記機器制御信号としてＣＥＣメッセージを用いて新たなコンテンツ送信装置の存在を検出することを特徴とする。
【００１２】
また、本発明の他の実施形態では、前記制御手段は、ＣＥＣメッセージを用いて新たなコンテンツ送信装置の存在を検出すると、前記ＨＤＭＩケーブルに含まれるＨＰＤラインのＨＰＤ（ホットプラグディテクト）信号をＬｏレベルからＨｉレベルに変化させることを特徴とする。
【発明の効果】
【００１３】
本発明によれば、ＨＤＭＩ受信部等のコンテンツデータ受信手段、及びＨＤＭＩ送信部等のコンテンツデータ送信手段が動作停止状態にある場合において新たにコンテンツ送信装置が接続された場合でも、この新たなコンテンツ送信装置の物理アドレスを正しく認識できる。従って、新たなコンテンツ送信装置からコンテンツデータが送信されても、その物理アドレスを用いて入力先を正しく切り替えることが可能となる。
【図面の簡単な説明】
【００１４】
【図１】実施形態のシステム構成図である。
【図２】実施形態の物理アドレス説明図である。
【図３】実施形態の処理フローチャートである。
【発明を実施するための形態】
【００１５】
以下、図面に基づき本発明の実施形態について説明する。なお、本明細書を通じ、ＣＥＣ（Consumer Electronics Control）とは、ＨＤＭＩ規格においてＡＶ機器間のコントロールを行うための制御プロトコルを意味するものとする。
【００１６】
図１に、本実施形態のシステム構成図を示す。ソース機器かつコンテンツ送信装置としてのＤＶＤプレーヤ、リピータ機器かつコンテンツ送受信装置としてのＡＶアンプ１０、シンク機器かつコンテンツ受信装置としてのディスプレイ６０が、ツリー状かつ階層状に接続される。なお、ソース機器は、ＨＤＭＩ出力端子を有する機器を意味し、リピータ機器は、ＨＤＭＩ入力端子及びＨＤＭＩ出力端子を有する機器を意味し、シンク機器は、ＨＤＭＩ入力端子を有する機器を意味する。
【００１７】
リピータ機器であって、コンテンツ送受信装置であるＡＶアンプ１０は、複数の入力端子１２，１４と、操作部１６と、ＨＤＭＩ受信部１８と、制御部２０と、メモリ２２と、出力端子２４と、表示部２６と、ＨＤＭＩ送信部２８と、音声処理部３０と、電源部３２と、バス３４を備える。複数の入力端子１２、１４は、図では入力端子（１）及び入力端子（２）として区別している。また、出力端子２４は、図では出力端子（１）としている。出力端子は複数あってもよい。
【００１８】
ソース機器からのＨＤＭＩデータは、入力端子１２，１４及びバス３４を介してＨＤＭＩ受信部１８で受信される。
【００１９】
ＨＤＭＩ受信部１８は、受信したＨＤＭＩデータに含まれる映像データから元の映像データ（ＨＤＭＩ変換前の映像データ）を生成してＨＤＭＩ送信部２８に出力する。また、ＨＤＭＩ受信部１８は、受信したＨＤＭＩデータに含まれる音声データから元の音声データを生成して音声処理部３０に出力する。
【００２０】
ＨＤＭＩ送信部２８は、ＨＤＭＩ受信部１８から受信した映像データをＨＤＭＩデータに変換し、出力端子２４に出力する。
【００２１】
音声処理部３０は、ＨＤＭＩ受信部１８から受信した音声データに対し、遅延処理、イコライザ処理、音量調整処理、増幅処理、ＤＡ変換等の所定の処理を施して外部のスピーカ６２に出力する。
【００２２】
なお、ＡＶアンプ１０で音声を再生しない場合には、ＨＤＭＩ受信部１８は、受信したＨＤＭＩデータをそのままＨＤＭＩ送信部２８に出力する（いわゆるスルー状態）。
【００２３】
制御部２０は、メモリ２２に記憶されているプログラムに従ってＡＶアンプ１０の各部の動作を制御する。制御部２０は、ＨＤＭＩケーブルのＣＥＣラインを介してＤＶＤプレーヤ５０，５２、及びディスプレイ６０の各制御部と接続され、各制御部とＣＥＣメッセージを送受信する。
【００２４】
制御部２０は、ユーザによる操作部１６の操作によりＡＶアンプ１０を電源オン状態からスタンバイ状態に移行する指示が入力されると、ＡＶアンプ１０の各部に電力を供給する電源部３２を制御し、スタンバイ状態に移行させる。スタンバイ状態には、完全スタンバイ状態とそれ以外のスタンバイ状態がある。完全スタンバイ状態は、制御部２０のみに電源電圧が供給され、ＨＤＭＩ受信部１８及びＨＤＭＩ送信部２８その他に電源電圧が供給されない状態である（制御部２０がアイドル状態）。その他のスタンバイ状態は、制御部２０、ＨＤＭＩ受信部１８及びＨＤＭＩ送信部２８に電源電圧が供給され、その他の部分に電源電圧が供給されない状態である。完全スタンバイ状態を第１スタンバイ状態、その他のスタンバイ状態を第２スタンバイ状態と定義する。
【００２５】
表示部２６は、ＡＶアンプ１０の各種動作状態を表示する。
【００２６】
ソース機器のＤＶＤプレーヤ５０、５２は、それぞれＡＶアンプ１０の入力端子１０、１２にＨＤＭＩケーブル７０，７２を介して接続される。すなわち、ＤＶＤプレーヤ５０はＨＤＭＩ７０ケーブルを介して入力端子１２に接続され、ＤＶＤプレーヤ５２はＨＤＭＩケーブル７２を介して入力端子１４に接続される。ユーザが操作部１６のインプットセレクタを入力端子１２に選択した場合、ＨＤＭＩ受信部１８は、入力端子１２に接続されたＤＶＤプレーヤ５０からのＨＤＭＩデータを受信する。また、ユーザが操作部１６のインプットセレクタを入力端子１４に選択した場合、ＨＤＭＩ受信部１８は、入力端子１４に接続されたＤＶＤプレーヤ５２からのＨＤＭＩデータを受信する。
【００２７】
ディスプレイ６０は、ＨＤＭＩ入力端子を備えるデジタルテレビ等であり、ＨＤＭＩケーブル８０で出力端子２４に接続される。ディスプレイ６０の入力端子（１）をＡＶアンプ１０の出力端子２４に接続するものとする。
【００２８】
ＨＤＭＩ機器同士を接続するＨＤＭＩケーブル７０，７２，８０は、コンテンツ信号としての映像・音声信号を差動方式で伝送するためのＴＭＤＳラインと、機器間で制御信号としてのＣＥＣメッセージを伝送する双方向バスであるＣＥＣラインと、ＥＤＩＤ（Extended Display Identification Data）等を送信するためのＤＤＣラインと、ＨＰＤ（Hot Plug Detect：ホットプラグディテクト）ラインを備える。
【００２９】
ＣＥＣでは、ＨＤＭＩ接続された各機器の論理アドレスと物理アドレスが取得され、物理アドレスを指定することで所望の機器にＣＥＣメッセージを送信できる。論理アドレスは、各機器の種別を表すもので、「０」から「Ｆ」まで１６個用意される。各論理アドレスに、接続された機器のデバイスタイプが割り当てられる。物理アドレスは、各機器のシステム内における位置を表すもので、主として入力切替先を指定するために使用される。シンク機器を最下層（０階層）とし、シンク機器に接続されている機器の入力番号を１階層目の数字として記述する。２階層目以降についても同様である。
【００３０】
図２に、図１のシステムにおける物理アドレスを示す。最下層のシンク機器であるディスプレイ６０には、物理アドレス[０．０．０．０]が付与される。ディスプレイ６０に接続されているＡＶアンプ１０には、[１．０．０．０]が付与される。つまり、ディスプレイ６０の物理アドレスの１番左の数字が、ＡＶアンプ１０が接続されている入力端子の番号（１）に変更されたものが物理アドレスになる。また、ＡＶアンプ１０の入力端子１２（入力端子（１））に接続されているＤＶＤプレーヤ５０には、物理アドレス[１．１．０．０]が付与され、ＡＶアンプ１０の入力端子１４（入力端子（２））に接続されているＤＶＤプレーヤ５２には、物理アドレス[１．２．０．０]が付与される。つまり、ＡＶアンプ１０の物理アドレスの左から２番目の数字が、ＤＶＤプレーヤ５０，５２が接続されている入力端子の番号に変更されたものが物理アドレスになる。
【００３１】
以上のような構成において、いま、ＤＶＤプレーヤ５０のみがＡＶアンプ１０の入力端子１２に接続され、出力端子２４にディスプレイ６０が接続された状態で、ＡＶアンプ１０が完全スタンバイ状態（第１スタンバイ状態）に移行した場合を想定する。
【００３２】
完全スタンバイ状態では、制御部２０のみに電源部３２からの電源電圧が供給され、ＨＤＭＩ受信部１８及びＨＤＭＩ送信部２８その他の部分には電源電圧が供給されず、動作停止状態にある。また、ディスプレイ６０のメモリ、及びＡＶアンプ１０のメモリ２２には、各機器の物理アドレスが論理アドレスと対応付けて記憶される。例えば、ＡＶアンプ１０のメモリ２２には、論理アドレス「０」と対応付けて自己の物理アドレス[１．０．０．０]が記憶され、また、論理アドレス「１」と対応付けてＤＶＤプレーヤ５０の物理アドレス[１．１．０．０]が記憶される。
【００３３】
ＡＶアンプ１０が通常の動作状態にある場合、このようにＡＶアンプ１０の入力端子１２にＤＶＤプレーヤ５０が接続され、入力端子１４にＤＶＤプレーヤ５２が接続されると、それぞれのＤＶＤプレーヤ５０、５２にそれぞれ物理アドレスが付与され、この物理アドレスに基づいて入力先を切り替えることが可能である。例えば、ユーザがＤＶＤプレーヤ５０の再生ボタンを操作すると、ＤＶＤプレーヤ５０は、自己が安定した映像信号を出力することが可能な状態であれば、ＨＤＭＩデータを出力するとともにアクティブ機器であることを示すＣＥＣメッセージの＜Active Source＞をブロードキャストする。＜Active Source＞をブロードキャストされたディスプレイ６０やＡＶアンプ１０は、その物理アドレスを用いて、ＤＶＤプレーヤ５０から出力されたＨＤＭＩデータを再生するための経路の切替を行う。
【００３４】
ユーザがＤＶＤプレーヤ５２の再生ボタンを操作する場合も同様であり、ＤＶＤプレーヤ５２は、自己が安定した映像信号を出力することが可能な状態であれば、ＨＤＭＩデータを出力するとともにアクティブ機器であることを示すＣＥＣメッセージの＜Active Source＞をブロードキャストする。＜Active Source＞をブロードキャストされたディスプレイ６０やＡＶアンプ１０は、その物理アドレスを用いて、ＤＶＤプレーヤ５２から出力されたＨＤＭＩデータを再生するための経路の切替を行う。すなわち、ＤＶＤプレーヤ５２の物理アドレスを[１．２．０．０]とすると、ＤＶＤプレーヤ５２は、＜Active Source 1.2.0.0＞メッセージをブロードキャストし、このメッセージを受信したＡＶアンプ１０及びディスプレイ６０は、その物理アドレス[１．２．０．０]を用いて入力先を切り替える。入力先を切り替える際、ディスプレイ６０は、＜Set Stream Path 1.2.0.0＞メッセージをブロードキャストする。
【００３５】
一方、ＡＶアンプ１０が完全スタンバイ状態（第１スタンバイ状態）にある場合、ＨＤＭＩ受信部１８及びＨＤＭＩ送信部２８に電源電力が供給されず動作停止状態にあるため、以下のような不具合が生じる。すなわち、例えばＤＶＤプレーヤ５０が入力端子１２に接続され、ＤＶＤプレーヤ５２が未だ入力端子１４に接続されていない状態でＡＶアンプ１０が完全スタンバイ状態に移行したとする。この場合、ＡＶアンプ１０のメモリ２２やディスプレイ６０のメモリにはＤＶＤプレーヤ５０の物理アドレスは特定されて記憶されているものの、ＤＶＤプレーヤ５２の物理アドレスは存在していない。
【００３６】
この状態でＤＶＤプレーヤ５２を入力端子１４に接続すると、ＨＤＭＩ受信部１８は動作停止状態であるためＨＰＤもＬｏレベルのままであり、ＤＶＤプレーヤ５２が接続されたことを認識することができず、その物理アドレスも更新されないままとなる。従って、この状態でユーザがＤＶＤプレーヤ５２の再生ボタンを操作し、ＤＶＤプレーヤ５２が＜Active Source＞をブロードキャストしても、ＤＶＤプレーヤ５２の正しい物理アドレスが存在していないため、入力先をＤＶＤプレーヤ５２に切り替えることができない。
【００３７】
そこで、本実施形態では、ＡＶアンプ１０が完全スタンバイ状態においてＤＶＤプレーヤ５２等のソース機器が接続された場合においても、この接続を認識してその物理アドレスを更新するように制御する。
【００３８】
具体的には、ＡＶアンプ１０が完全スタンバイ状態にあり、ＨＤＭＩ受信部１８及びＨＤＭＩ送信部２８が動作停止状態にあっても、ＡＶアンプ１０の制御部２０とＤＶＤプレーヤ５２の制御部との間、及びＡＶアンプ１０の制御部２０とディスプレイ６０の制御部との間ではＣＥＣラインを用いたＣＥＣメッセージの送受信が可能であることに着目し、ＡＶアンプ１０の制御部２０は、ＣＥＣメッセージの送受信によりＤＶＤプレーヤ５２の存在を検出した場合に、完全スタンバイ状態にあるにもかかわらずＨＤＭＩ受信部１８及びＨＤＭＩ送信部２８に電源部３２からの電源電圧を供給して動作状態とし、ＨＰＤ（ホットプラグ検出）をＬｏレベルからＨｉレベルに変化させることでＤＶＤプレーヤ５２の接続を認識する。そして、所定の通信シーケンスによりＤＶＤプレーヤ５２の物理アドレスを取得して更新し、メモリ２２内の物理アドレス、より特定的には論理アドレスと物理アドレスを対応付けるテーブルを更新する。
【００３９】
図３に、本実施形態の処理フローチャートを示す。ユーザによる操作部１６の操作により、ＡＶアンプ１０は完全スタンバイ状態に移行する（Ｓ１０１）。すなわち、制御部２０のみに電源電圧が供給され、ＨＤＭＩ受信部１８、ＨＤＭＩ送信部２８その他の部分には電源電圧は供給されない状態である。
【００４０】
ＡＶアンプ１０が完全スタンバイ状態に移行した場合、制御部２０は、ＣＥＣメッセージ（ＣＥＣコマンド）の割り込みがあるか否かを定期的に監視する（Ｓ１０２）。ＣＥＣメッセージの割込みがなければ、完全スタンバイ状態をそのまま維持する。
【００４１】
一方、何らかのソース機器がＨＤＭＩケーブルを介してＡＶアンプ１０に接続された場合、例えばＤＶＤプレーヤ５２がＨＤＭＩケーブル７２を介して入力端子１４に接続されると、当該ソース機器の制御部とＡＶアンプ１０の制御部２０とは双方向バスのＣＥＣラインで接続されることとなるため、ＨＤＭＩ受信部１８及びＨＤＭＩ送信部２８に電源電圧が供給されていなくてもソース機器の制御部とＡＶアンプ１０の制御部２０との間でＣＥＣメッセージを送受信することは可能であり、ソース機器の制御部からＣＥＣメッセージが送信されるとこれを受信する。制御部２０は、ＣＥＣメッセージの割り込みがあると判定すると、メモリ２２に記憶されている論理アドレステーブルを参照し、当該ソース機器が既に存在する論理アドレスのソース機器であるか、あるいは新しい論理アドレスのソース機器であるかを判定する。例えば、完全スタンバイ状態に移行する前に既にＤＶＤプレーヤ５０がＨＤＭＩケーブル７０に接続されていれば、論理アドレスの特定アドレスにＤＶＤプレーヤ５０が既に割り当てられており、割り込みのＣＥＣメッセージがＤＶＤプレーヤ５０からのメッセージであれば新規の論理アドレスではないと判定される。また、割り込みのＣＥＣメッセージがＤＶＤプレーヤ５２からのメッセージであれば新規の論理アドレスと判定される。割り込みメッセージが既に存在する論理アドレスのソース機器からのメッセージであれば、物理アドレスを更新する必要がないので、完全スタンバイ状態をそのまま維持する。
【００４２】
割り込みメッセージが新しい論理アドレスのソース機器からのメッセージである場合、制御部２０は、新しいソース機器が接続されたものとみなし、第２スタンバイ状態に移行する。すなわち、ＨＤＭＩ受信部１８及びＨＤＭＩ送信部２８に電源部３２からの電源電圧を供給してこれらを動作状態に移行させる。言い換えれば、ＡＶアンプ１０を第１スタンバイ状態から第２スタンバイ状態に移行させる。また、ＨＰＤ（ホットプラグ検出）をＬｏレベルからＨｉレベルに変化させる（Ｓ１０４）。具体的には、ＨＰＤラインに所定電圧以上の電圧、例えば＋５Ｖを出力する。ＨＰＤ（ホットプラグ検出）は、ソース機器とシンク機器を接続する通信機構であり、ソース機器はこのＨＰＤ信号によりシンク機器と接続された状態であることを判別してシンク機器の能力に合わせた信号を設定する。ＨＰＤ信号をＬｏレベルからＨｉレベルに変化させることで、ソース機器とシンク機器との間で起動時の通信シーケンスが開始される。従って、ＤＶＤプレーヤ５２の制御部と制御部２０との間で通信シーケンスが開始され、論理アドレステーブルを用いた接続確認が実行される。本実施形態において、新しい論理アドレスが存在しない場合、ＨＰＤ信号はＬｏレベルのままでＨｉレベルに変化しない点に留意されたい。この意味で、ＣＥＣメッセージの割り込みがあり、この割り込みが新たなシース機器からの割り込みであることをトリガとして、ＨＰＤ信号をＬｏレベルからＨｉレベルに変化させるといえる。なお、この接続確認とともに、ＤＶＤプレーヤ５２は、ディスプレイ６０やＡＶアンプ１０のＥＤＩＤにアクセスしてフォーマットや解像度の設定が可能となる。ＥＤＩＤの伝送は、ＤＤＣラインを用いて行われるが、ＨＤＭＩ受信部１８及びＨＤＭＩ送信部２８は動作状態にあるため可能である。
【００４３】
制御部２０は、この接続確認において、新たに接続されたソース機器からの物理アドレスを確認する（Ｓ１０５）。すなわち、制御部２０は、論理アドレステーブルに基づき、論理アドレスのそれぞれの接続を確認する場合に、＜Give Physical Address＞メッセージを用いて接続されている機器にポーリングを実行する。ポーリングを実行した論理アドレスにソース機器が接続されていれば、当該ソース機器はポーリングに対する応答として<Report Physical Address＞を返信し、自己の物理アドレスを返信する。制御部２０は、ＤＶＤプレーヤ５０の論理アドレスのみならず、ＤＶＤプレーヤ５２の論理アドレスに対しても＜Give Physical Address＞メッセージを送信し、ＤＶＤプレーヤ５２からの＜Report Physical Address＞を確認することで、ＤＶＤプレーヤ５２の物理アドレスを取得し、論理アドレスと物理アドレスを対応付けるテーブルを更新する。例えば、メモリ２２に記憶されている更新前の論理アドレスと物理アドレスを対応付けるテーブルが、
論理アドレス  物理アドレス      デバイスタイプ      デバイスネーム
１          [１．１．０．０]    Ｐｌａｙｂａｃｋ    ＤＶＤプレーヤＡ
２          （Ｎｏｎｅ）          （Ｎｏｎｅ）          （Ｎｏｎｅ）
であったところ、ＨＰＤ信号をＬｏレベルからＨｉレベルに変化させて対応付けテーブルを更新することで、
論理アドレス  物理アドレス      デバイスタイプ      デバイスネーム
１          [１．１．０．０]    Ｐｌａｙｂａｃｋ    ＤＶＤプレーヤＡ
２          [１．２．０．０]    Ｐｌａｙｂａｃｋ    ＤＶＤプレーヤＢ
となる。論理アドレス「２」の物理アドレス[１．２．０．０]は、＜Give Physical Address＞メッセージに応じて返信された＜Report Physical Address＞で取得したアドレスである。
【００４４】
本実施形態では、接続確認を行う際に、ＤＶＤプレーヤ５０の論理アドレスにも＜Give Physical Address＞メッセージを送信しているが、完全スタンバイ状態から移行した場合には、新たな論理アドレスのみに＜Give Physical Address＞を送信してその機器の物理アドレスのみを取得してもよい。
【００４５】
最後に、制御部２０は、更新されメモリ２２に記憶された論理アドレスと物理アドレスの対応付けテーブルを参照し、新たな論理アドレスが新たな物理アドレスを獲得したか否かを判定する（Ｓ１０６）。上記の例でいえば、新たな論理アドレスは「２」であり、これが新たな物理アドレスを獲得したと判定する。全ての新たな論理アドレスが新たな物理アドレスを獲得していない場合、Ｓ１０４以降の処理を繰り返してテーブルを更新する。全ての新たな論理アドレスが新たな物理アドレスを獲得したと判定すると、制御部２０は、ＨＤＭＩ受信部１８及びＨＤＭＩ送信部２８への電源電圧供給を停止し、再び完全スタンバイ状態に移行する。言い換えれば、制御部２０は、一時的に第１スタンバイ状態から第２スタンバイ状態に移行し、物理アドレスを更新した後に、再び第１スタンバイ状態に移行する。
【００４６】
以上のように、本実施形態では、ＡＶアンプ１０が完全スタンバイ状態にあるときに新たなソース機器が接続されると、制御部２０は、ＣＥＣラインを介したＣＥＣメッセージにより新たなソース機器を検出し、ＨＤＭＩ受信部１８及びＨＤＭＩ送信部２８に電源電圧を供給して動作状態とし、ＨＰＤ信号をＬｏレベルからＨｉレベルに変化させて新たなソース機器の物理アドレスを取得して更新するので、新たなソース機器が再生されても、直ちにこれに対応して入力を切り替えることができる。すなわち、ＡＶアンプ１０が完全スタンバイ状態において新たにＤＶＤプレーヤ５２が入力端子１４に接続されても、制御部２０は上記のシーケンスによりＤＶＤプレーヤ５２の物理アドレス[１．２．０．０]を取得してテーブルを更新しているので、ＤＶＤプレーヤ５２の再生が開始されて＜Active Source＞がブロードキャストされても、これに対応して入力をＤＶＤプレーヤ５２の経路に正しく切り替えることができる。
【００４７】
以上、本発明の実施形態について説明したが、本発明はこれに限定されるものではなく、種々の変形が可能である。
【００４８】
例えば、本実施形態ではソース機器としてＤＶＤプレーヤを例示したが、ＢＤプレーヤその他のプレーヤあるいはレコーダあるいはゲーム機であってもよい。
【００４９】
また、本実施形態では、ソース機器かつコンテンツ送信装置と、リピータ機器かつコンテンツ送受信装置と、シンク機器かつコンテンツ受信装置とがＨＤＭＩケーブル７０，７２，８０で接続される構成としたが、必ずしもＨＤＭＩ規格である必要はなく、他の通信規格で接続されていてもよく、その接続形態も有線に限定されず無線であってもよい。但し、本発明は、コンテンツ送信手段からのコンテンツデータを受信する受信手段、及びコンテンツ受信手段にコンテンツデータを送信する送信手段に電源電圧が供給されず動作停止状態にあっても、各機器の制御部の間で制御信号の送受信が可能であることを前提としているので、各機器が双方向回線（有線あるいは無線を問わず）で接続され、機器制御信号を相互に送受信できる規格であることが必要である。ＨＤＭＩ規格におけるＣＥＣライン及びＣＥＣメッセージがその一例であるが、本発明は必ずしもこれに限定されるものではなく、機器制御信号を送受信でき、この機器制御信号を用いて少なくとも新たなコンテンツ送信装置の存在を検出できればよい。
【００５０】
また、本実施形態では、完全スタンバイ状態である第１スタンバイ状態から一時的に第２スタンバイ状態に移行し、物理アドレスを更新した後に再び完全スタンバイ状態である第１スタンバイ状態に移行しているが、物理アドレスを更新した後に第２スタンバイ状態のまま維持してもよい。
【００５１】
また、本実施形態では、ユーザから完全スタンバイ状態への移行が指示されたときに制御部２０は完全スタンバイ状態に移行しているが、この際に、＜Give Device Power Status＞メッセージをディスプレイ６０に送信してその電源状態を問い合わせ、ディスプレイ６０がスタンバイ状態にあることを確認した上で完全スタンバイ状態に移行してもよい。
【００５２】
さらに、本実施形態では、図１に示すようにＨＤＭＩ受信部１８とＨＤＭＩ送信部２８とを別個の部材として示しているが、これらを単一の部品によって構成してもよく、制御部２０に関しても、図１では単一の部材として示しているが、複数の制御部から構成されていてもよい。具体的には、制御部２０がメインマイコンとフロントマイコンから構成され、メインマイコンでＨＤＭＩ受信部１８、ＨＤＭＩ送信部２８、電源３２の動作を制御し、フロントマイコンでＣＥＣラインのＣＥＣメッセージを送受信する等である。完全スタンバイ状態では、メインマイコン及びフロントマイコンともに電源電圧が供給されて動作状態にあり、フロントマイコンが新たなコンテンツ送信装置からＣＥＣメッセージを受信するとその旨をメインマイコンに指令し、メインマイコンはフロントマイコンからの指令を受けてＨＤＭＩ受信部１８及びＨＤＭＩ送信部２８に電源電圧を供給し、ＨＰＤ信号をＬｏレベルからＨｉレベルに変化させる。
【符号の説明】
【００５３】
１０  ＡＶアンプ、１２  入力端子（１）、１４  入力端子（２）、１６  操作部、１８  ＨＤＭＩ受信部、２０  制御部、２２  メモリ、２４  出力端子（１）、２６  表示部、２８  ＨＤＭＩ送信部、３０  音声処理部、３２  電源部、５０  ＤＶＤプレーヤ（Ａ）、５２  ＤＶＤプレーヤ（Ｂ）、６０  ディスプレイ、６２  スピーカ。
【図１】
2014042163.tif 000003
【図２】
2014042163.tif 000004
【図３】
2014042163.tif 000005